(57)【特許請求の範囲】
【請求項１】
複数のリモコンが１つの映像視聴装置と対応付けられ、上記複数のリモコンのうちで、１つのリモコンのみが、上記映像視聴装置を制御することができる映像視聴装置の制御装置において、
上記複数のリモコンのうちでどのリモコンも、上記映像視聴装置を制御する制御権を持っていない不定状態で、最初に操作されたリモコンのＩＤを検出するリモコンＩＤ検出手段と；
上記検出されたＩＤを具備するリモコンに、上記制御権を付与する制御権付与手段と；
上記制御権を持っているリモコンが制御権を放棄したことを判断する放棄判断手段と；
上記制御権を持っているリモコンが制御権を放棄したことを上記放棄判断手段が判断すると、不定状態に設定する不定状態設定手段と；
を有し、上記不定状態設定手段は、リモコンを操作すること以外の操作によって、上記映像視聴装置の電源をオフしたときに、所定の一定時間は、電源オフ直前に制御権を持っていたリモコンの制御権を保持し、上記一定時間が経過した後に、不定状態に設定する手段であることを特徴とする映像視聴装置の制御装置。
【請求項２】
複数のリモコンが１つの映像視聴装置と対応付けられ、上記複数のリモコンのうちで、１つのリモコンのみが、上記映像視聴装置を制御することができる映像視聴装置の制御方法において、
上記複数のリモコンのうちでどのリモコンも、上記映像視聴装置を制御する制御権を持っていない不定状態で、最初に操作されたリモコンのＩＤを検出するリモコンＩＤ検出段階と；
上記検出されたＩＤを具備するリモコンに、上記制御権を付与する制御権付与段階と；
上記制御権を持っているリモコンが制御権を放棄したことを判断する放棄判断段階と；
上記制御権を持っているリモコンが制御権を放棄したことを上記放棄判断段階で判断すると、不定状態に設定する不定状態設定段階と；
を有し、上記不定状態設定段階は、リモコンを操作すること以外の操作によって、上記映像視聴装置の電源をオフしたときに、所定の一定時間は、電源オフ直前に制御権を持っていたリモコンの制御権を保持し、上記一定時間が経過した後に、不定状態に設定する段階であることを特徴とする映像視聴装置の制御方法。
【請求項３】
複数のリモコンが１つの映像視聴装置と対応付けられ、上記複数のリモコンのうちで、１つのリモコンのみが、上記映像視聴装置を制御するプログラムにおいて、
上記複数のリモコンのうちでどのリモコンも、上記映像視聴装置を制御する制御権を持っていない不定状態で、最初に操作されたリモコンのＩＤを検出するリモコンＩＤ検出手順と；
上記検出されたＩＤを具備するリモコンに、上記制御権を付与する制御権付与手順と；
上記制御権を持っているリモコンが制御権を放棄したことを判断する放棄判断手順と；
上記制御権を持っているリモコンが制御権を放棄したことを上記放棄判断手順で判断すると、不定状態に設定する不定状態設定手順と；
をコンピュータに実行させるプログラムであり、上記不定状態設定手順は、リモコンを操作すること以外の操作によって、上記映像視聴装置の電源をオフしたときに、所定の一定時間は、電源オフ直前に制御権を持っていたリモコンの制御権を保持し、上記一定時間が経過した後に、不定状態に設定する手順であることを特徴とするプログラム。
【請求項４】
複数のリモコンが１つの映像視聴装置と対応付けられ、上記複数のリモコンのうちで、１つのリモコンのみが、上記映像視聴装置を制御するプログラムを記録したコンピュータ読み取り可能な記録媒体において、
上記複数のリモコンのうちでどのリモコンも、上記映像視聴装置を制御する制御権を持っていない不定状態で、最初に操作されたリモコンのＩＤを検出するリモコンＩＤ検出手順と；
上記検出されたＩＤを具備するリモコンに、上記制御権を付与する制御権付与手順と；
上記制御権を持っているリモコンが制御権を放棄したことを判断する放棄判断手順と；
上記制御権を持っているリモコンが制御権を放棄したことを上記放棄判断手順で判断すると、不定状態に設定する不定状態設定手順と；
をコンピュータに実行させるプログラムを記録したコンピュータ読み取り可能な記録媒体であり、上記不定状態設定手順は、リモコンを操作すること以外の操作によって、上記映像視聴装置の電源をオフしたときに、所定の一定時間は、電源オフ直前に制御権を持っていたリモコンの制御権を保持し、上記一定時間が経過した後に、不定状態に設定する手順であることを特徴とする記録媒体。
【発明の詳細な説明】
【０００１】
【発明の属する技術分野】
本発明は、複数のリモコンが１つの映像視聴装置と対応付けられ、上記複数のリモコンのうちで、１つのリモコンのみが、上記映像視聴装置を制御することができる映像視聴装置の制御装置に関する。
【０００２】
【従来の技術】
従来のテレビ受像機のリモコンは、テレビ受像機から離れた位置で、そのテレビ受像機を制御する装置であり、従来のテレビ受像機のリモコンの他に、携帯電話機能付リモコン、ＰＤＡ機能付リモコン、腕時計機能付リモコン等のリモコンが知られている。
【０００３】
ＰＤＡは、Ｐｅｒｓｏｎａｌ  Ｄｉｇｉｔａｌ    Ａｓｓｉｓｔａｎｔ（携帯用個人情報端末）であり、手のひらに収まる程度の大きさの電子機器であり、パソコンのもつ機能のうちのいくつかを実装している端末である。
【０００４】
また、放送システムは、電波放送システム、インターネット放送等の放送システムである。電波放送は、一般の地上波テレビ受像機放送、ラジオ放送、衛星放送、ディジタル衛星放送等、電波を通じて番組を放送する放送形態である。インターネット放送は、インターネットを通じて番組を放送する放送形態である。
【０００５】
テレビ受像機やビデオ記録再生装置等の映像視聴装置は、映像視聴装置１台に、専用リモコンが１台装備されている場合が一般的であり、専用リモコンを操作すると、赤外線信号や電波信号等の無線信号を介して、離れた場所から上記映像視聴装置を制御することができる。
【０００６】
ユーザがテレビ受像機やビデオ記録再生装置等の映像視聴装置を操作する場合、リモコンを用いて操作することが一般的であり、１台のテレビ受像機を複数のユーザが視聴する場合に、リモコンを使用してテレビ受像機のチャンネル、音量等を操作する場合、リモコンを持っているユーザがそのリモコンを操作する。リモコンを持っていないユーザがチャンネル等を操作する場合には、リモコンを持っているユーザに、そのリモコンを借りる必要があり、その都度、リモコンを貸し借りすることは煩雑であるという欠点がある。
【０００７】
この欠点を解消するには、複数のリモコンを使用し、どのリモコンからでも、１台の映像視聴装置を操作することができるようにすればよい。この場合、どのリモコンからでも、常に操作することができるようでは、チャンネルの奪い合いになることがあり、このチャンネルの奪い合いが新たな欠点となる。
【０００８】
この新たな欠点を解消することを目的として、特開２００１−６１１１０公報には、リモコン装置に優先順位を付与し、テレビ受像機の操作性を向上させる方法や、複数のリモコンに付与されている優先度の合計から操作内容を決定する方法が提案されている。
【０００９】
上記従来例における上記「優先順位」は、リモコンに優先度データを付与し、この付与された優先度データに応じて、決定される順位である。また、上記優先度データは、点数と同じように考えられるものであり、その数値（点数）の最も大きいリモコンの優先順位が高くなる。なお、各チャンネルに対する要求数を優先度で重み付けして加算し、最も要求数の多いチャンネルが表示される。
【００１０】
【発明が解決しようとする課題】
特開２００１−６１１１０公報記載の方法では、複数のリモコンを用いて１台の映像視聴装置を操作する場合、それぞれのリモコンの優先順位が固定されているので、誰も映像視聴装置を見ていないときでも、優先順位が最も高いリモコンのみが映像視聴装置を制御することができ、したがって、誰も映像視聴装置を見ていないときに、優先順位が最も高いリモコン以外のリモコンを使用して映像視聴装置を見ることができないという問題がある。
【００１１】
つまり、複数のリモコンを用いて１台の映像視聴装置を操作する場合、誰も映像視聴装置を見ていないときに、操作を希望するユーザのリモコンに、映像視聴装置を制御する制御権を適切に与えることができないという問題がある。
【００１２】
本発明は、複数のリモコンを用いて１台の映像視聴装置を操作する場合、誰も映像視聴装置を見ていないときに、操作を希望するユーザのリモコンに、映像視聴装置を制御する制御権を適切に与えることができる映像視聴装置の制御装置、その制御方法、プログラムおよび記録媒体を提供することを目的とするものである。
【００１３】
【課題を解決するための手段】
本発明では、複数のリモコンを用いて１つのテレビ受像機やビデオ等の映像視聴装置を操作する際に、複数のリモコンのうちでどのリモコンも、映像視聴装置を制御する制御権を持っていない不定状態では、最初に操作を行ったリモコンに制御権を与えるものであり、上記制御権を持っているリモコンが制御権を放棄したことを判断すると、不定状態に設定する不定状態設定手段を設け、この不定状態設定手段は、リモコンを操作すること以外の操作によって、上記映像視聴装置の電源をオフしたときに、所定の一定時間は、電源オフ直前に制御権を持っていたリモコンの制御権を保持し、上記一定時間が経過した後に、不定状態に設定する手段である。
【００１４】
【発明の実施の形態および実施例】
［第１の実施例］
図１は、本発明の第１の実施例である放送システムＢＳ１を示すブロック図である。
【００１５】
放送システムＢＳ１は、第１のリモコンＲＣ１と、第２のリモコンＲＣ２と、第３のリモコンＲＣ３と、映像視聴装置２０と、映像視聴装置２０を制御する制御装置１０とを有する。
【００１６】
リモコンＲＣ１、ＲＣ２、ＲＣ３は、映像視聴装置２０を制御することができるリモコンである。ただし、ある時点では、リモコンＲＣ１、ＲＣ２、ＲＣ３のうちで１つのリモコンのみが、映像視聴装置２０を制御することができる。映像視聴装置２０の制御は、たとえば、番組の選択、音量の制御、映像視聴装置２０の電源のオン、オフ制御である。
【００１７】
また、リモコンＲＣ１、ＲＣ２、ＲＣ３は、それぞれ、独自のリモコンＩＤを有し、リモコンを操作するときに、自己のＩＤを送信する。
【００１８】
第１のリモコンＲＣ１は、操作情報入出力部１と、ＩＤ記憶部２と、制御権放棄ボタン３と、制御部４と、信号入出力部５と、電源スイッチ６とを有する。
【００１９】
操作情報入出力部１は、映像視聴装置２０を制御する情報を入力し、映像視聴装置２０から受信した信号を出力するものである。ＩＤ記憶部２は、第１のリモコンＲＣ１のＩＤを記憶している記憶部である。制御権放棄ボタン３は、映像視聴装置２０を制御する権利である制御権を放棄する意思を示すボタンである。制御部４は、第１のリモコンＲＣ１の全体を制御する。電源スイッチ６は、映像視聴装置２０の電源をオン、オフするスイッチである。
【００２０】
第２のリモコンＲＣ２、第３のリモコンＲＣ３の各構成は、第１のリモコンＲＣ１の構成と同様であり、また、それぞれ独自のＩＤを記憶している。
【００２１】
映像視聴装置２０は、映像音声出力部２１と、電源スイッチ２２とを有する。
【００２２】
映像視聴装置の制御装置１０は、信号入出力部１１と、制御部１２と、制御権管理部１３とを有する。
【００２３】
信号入出力部１１は、リモコンＲＣ１〜ＲＣ３からの信号を入力する部分である。なお、リモコンＲＣ１〜ＲＣ３と、制御装置１０との間で、双方向の無線通信を行うようにしてもよい。
【００２４】
制御部１２は、制御装置１０の全体を制御するとともに、操作されたリモコンのＩＤを検出するリモコンＩＤ検出手段の例であり、上記検出されたＩＤを具備するリモコンに、上記制御権を付与する制御権付与手段の例である。
【００２５】
また、制御部１２は、上記制御権を持っているリモコンが制御権を放棄したことを判断する放棄判断手段の例であり、上記制御権を持っているリモコンが制御権を放棄したことを上記放棄判断手段が判断すると、不定状態に設定する不定状態設定手段の例である。なお、上記「不定状態」は、複数のリモコンのうちでどのリモコンも、映像視聴装置２０を制御する制御権を持っていない状態である。
【００２６】
なお、上記放棄判断手段は、上記リモコンに設けられている制御権放棄ボタン３をオンした場合、または、上記リモコンに設けられている電源スイッチ６を使用して、映像視聴装置２０の電源をオフした場合に、上記制御権を持っているリモコンが制御権を放棄したと判断する手段である。
【００２７】
また、上記不定状態設定手段は、リモコンを操作する以外の操作によって、つまり、映像視聴装置２０の電源スイッチ２２を使用して、映像視聴装置２０をオフしたときに、所定の一定時間は、電源オフ直前に制御権を持っていたリモコンの制御権を保持し、上記一定時間が経過した後に、不定状態に設定する手段である。
【００２８】
制御権管理部１３は、リモコンＲＣ１〜ＲＣ３のうちのどのリモコンが、現在、制御権を持っているかを管理する。
【００２９】
次に、第１の実施例の動作について説明する。
【００３０】
まず、第１の実施例において不定状態であるときに、第１のリモコンＲＣ１が制御権を獲得することを希望する場合の動作について説明する。
【００３１】
図２は、第１の実施例において不定状態である場合に、所定のリモコンを操作し、この操作したリモコンが制御権を獲得する動作を示すフローチャートである。
【００３２】
Ｓ１０１では、所定のリモコンを使用し、映像視聴装置２０の電源をオンする操作、チャンネルを変える操作等を実行すると、そのリモコンの操作情報入出力部１、制御部４を介して、操作信号とそのリモコンのＩＤとが、信号入出力部５から出力される。
【００３３】
操作信号とリモコンＩＤとを、映像視聴装置２０の信号入出力部１１が受信し（Ｓ１０２）、この受信した操作信号の操作内容を制御部１２が解釈し（Ｓ１０３）、受信したリモコンＩＤに基づいて、どのリモコンから受信した操作情報であるかを、制御部１２が判別する（Ｓ１０４，Ｓ１１０、Ｓ１１６）。
【００３４】
第１のリモコンＲＣ１を操作したことが判別された場合（Ｓ１０４）、第１のリモコンＲＣ１に制御権があるか否かを判断する（Ｓ１０５）。
【００３５】
図３、図４は、上記実施例において、各リモコンと制御権保有の有無との関係の一例を示す図である。
【００３６】
図３、図４において、制御権保有の数値が１であるときに、その数値が１であるリモコンが制御権を持ち、その数値が０であるリモコンが制御権を持っていないことを示している。
【００３７】
図３に示す状態は、第１のリモコンＲＣ１、第２のリモコンＲＣ、第３のリモコンＲＣ３のいずれも、制御権を持っていないので、不定状態である。
【００３８】
どのリモコンにも制御権がない場合に（Ｓ１０５、Ｓ１０６、Ｓ１０７）、つまり不定状態である場合に、第１のリモコンＲＣ１による操作（要求）が行われたと判断された（Ｓ１０４）ので、第１のリモコンＲＣ１に制御権が付与され（Ｓ１０８）、第１のリモコンＲＣ１による操作要求が反映される（Ｓ１０９）。
【００３９】
この結果、制御権管理部１３のデータベースは、図４に示すように、第１のリモコンＲＣ１が制御権を持つ状態に変化する。
【００４０】
一方、第１のリモコンＲＣ１に制御権があるか否かを判断したときに（Ｓ１０５）、第１のリモコンＲＣ１に制御権があると判断されれば、映像音声出力部２１に、第１のリモコンＲＣ１の操作を反映する（Ｓ１０９）。
【００４１】
第１のリモコンＲＣ１が操作されず、第２のリモコンが操作された場合（Ｓ１０４、Ｓ１１０）、第２のリモコンＲＣ２に制御権があるか否かを、制御権管理部１３が判断する（Ｓ１１１）。
【００４２】
ここで、第１のリモコンＲＣ１、第２のリモコンＲＣ、第３のリモコンＲＣ３のいずれのリモコンにも制御権がなければ（Ｓ１１１、Ｓ１１２、Ｓ１１３）、不定状態であり、既に第２のリモコンＲＣ２による操作（要求）が行われたと判断された（Ｓ１１０）ので、第２のリモコンＲＣ２に制御権が付与され（Ｓ１１４）、第２のリモコンＲＣ２による操作要求が反映される（Ｓ１１５）。
【００４３】
第１のリモコンＲＣ１、第２のリモコンＲＣ２が操作されず、第３のリモコンが操作された場合（Ｓ１０４、Ｓ１１０、Ｓ１１６）、第３のリモコンＲＣ３に制御権があるか否かを、制御権管理部１３が判断する（Ｓ１１７）。
【００４４】
ここで、第１のリモコンＲＣ１、第２のリモコンＲＣ、第３のリモコンＲＣ３のいずれのリモコンにも制御権がなければ（Ｓ１１７、Ｓ１１８、Ｓ１１９）、不定状態であり、既に第３のリモコンＲＣ３による操作（要求）が行われたと判断された（Ｓ１１６）ので、第３のリモコンＲＣ３に制御権が付与され（Ｓ１２０）、第３のリモコンＲＣ３による操作要求が反映される（Ｓ１２１）。
【００４５】
一方、どのリモコンからの信号でもないと判定されると（Ｓ１０４、Ｓ１１０、Ｓ１１６）、映像音声出力部２１にエラーを表示する（Ｓ１２２）。
【００４６】
上記第１の実施例によれば、制御権が定められていない状態から、最初に操作したリモコンに制御権を与えることができる。
【００４７】
複数のリモコンが存在するときに、映像視聴装置２０を制御する制御権をどのリモコンに与えることが適切であるかを定めることは重要であるが、第１の実施例によれば、映像視聴装置２０を制御する制御権が１つのリモコンに与えられている状態と、いずれのリモコンにも制御権が与えられていない不定状態との２つの状態を想定し、上記不定状態において操作したリモコンに制御権を与え、これによって、上記不定状態からの脱却し、不定状態からの脱却基準が明確である。
【００４８】
次に、上記実施例において、第１のリモコンＲＣ１に制御権がある場合に、その第１のリモコンＲＣ１が制御権を放棄する場合の動作について説明する。
【００４９】
図５は、上記実施例において、所定のリモコンが制御権を持っている状態で、その制御権を放棄することを希望した場合の動作を示すフローチャートである。
【００５０】
まず、所定のリモコンに設けられている制御権放棄ボタン３をオンすると（Ｓ２０１）、そのリモコンの信号入出力部５が、操作信号（具体的には、放棄信号）とリモコンＩＤとを出力し、制御装置１０の信号入出力部１１が、上記リモコン信号とリモコンＩＤとを受信する（Ｓ２０２）。
【００５１】
そして、制御部１２が、操作内容を解釈し（Ｓ２０３）、受信したリモコンＩＤに基づいて、どのリモコンからの操作情報であるのかを判別する（２０４、Ｓ２１０、Ｓ２１６）。
【００５２】
第１のリモコンＲＣ１を操作したと判別した場合（Ｓ２０４）、第１のリモコンＲＣ１が制御権を有するか否かを、制御権管理部１３が判断し、第１のリモコンＲＣ１が制御権を有していれば（Ｓ２０５）、第１のリモコンＲＣ１から、制御権を剥奪する（Ｓ２０８）。
【００５３】
第１のリモコンＲＣ１を操作したと判別した場合（Ｓ２０４）、第１のリモコンが制御権を有しておらず（Ｓ２０５）、第２のリモコンＲＣ２または第３のリモコンＲＣ３が制御権を有していれば（Ｓ２０６、Ｓ２０７）、映像音声出力部２１に、「制御権がありません」等のメッセージを表示する（Ｓ２２３）。
【００５４】
一方、第１のリモコンＲＣ１が操作せず（Ｓ２０４）、第２のリモコンＲＣ２を操作したと判別した場合（Ｓ２１０）、第２のリモコンＲＣ２が制御権を有するか否かを、制御権管理部１３が判断し、第２のリモコンＲＣ２が制御権を有していれば（Ｓ２１１）、第２のリモコンＲＣ２から、制御権を剥奪する（Ｓ２１４）。
【００５５】
第２のリモコンＲＣ２を操作したと判別した場合（Ｓ２１０）、第２のリモコンが制御権を有しておらず（Ｓ２１１）、第１のリモコンＲＣ１または第３のリモコンＲＣ３が制御権を有していれば（Ｓ２１２、Ｓ２１３）、映像音声出力部２１に、「制御権がありません」等のメッセージを表示する（Ｓ２２３）。
【００５６】
一方、第１のリモコンＲＣ１、第２のリモコンＲＣ２を操作せず（Ｓ２０４、Ｓ２１０）、第３のリモコンＲＣ３を操作したと判別した場合（Ｓ２１６）、第３のリモコンＲＣ３が制御権を有するか否かを、制御権管理部１３が判断し、第３のリモコンＲＣ３が制御権を有していれば（Ｓ２１７）、第３のリモコンＲＣ３から、制御権を剥奪する（Ｓ２２０）。
【００５７】
第３のリモコンＲＣ３を操作したと判別した場合（Ｓ２１６）、第３のリモコンが制御権を有しておらず（Ｓ２１７）、第１のリモコンＲＣ１または第２のリモコンＲＣ２が制御権を有していれば（Ｓ２１８、Ｓ２１９）、映像音声出力部２１に、「制御権がありません」等のメッセージを表示する（Ｓ２２３）。
【００５８】
なお、どのリモコンからの信号でもないと判定すれば（Ｓ２０４、Ｓ２１０、Ｓ２１６）、映像音声出力部２１にエラーを表示する（Ｓ２２２）。
【００５９】
［第２の実施例］
本発明の第２の実施例は、映像視聴装置２０の電源がオフされてから、所定の一定時間が経過された後に、制御権を剥奪する実施例である。
【００６０】
第２の実施例の構成は、放送システムＢＳ１と同様である。
【００６１】
図６は、第２の実施例において、所定のリモコンが制御権を持っているときに、リモコン以外の方法で電源をオフした場合における動作を示すフローチャートである。
【００６２】
まず、リモコン以外の操作によって映像視聴装置２０の電源をオフしたのか否かを判断し（Ｓ３０１）、映像視聴装置２０の電源スイッチ２２をオフしたと判断すると、制御部１２が、映像視聴装置２０の電源をオフする（Ｓ３０２）。
【００６３】
映像視聴装置２０の電源をオフしてから（Ｓ３０２）、制御権管理部１３のタイマが起動され（Ｓ３０３）、タイマ起動後の経過時間を計測し（Ｓ３０４）、予め設定された制御権保有時間以上の時間が経過したか否かを、制御権管理部１３が判定し（Ｓ３０５）、制御権保有時間以上の時間が経過していなければ、ステップＳ３０４に戻り、時間を計測する。
【００６４】
制御権保有時間以上の時間が経過していれば（Ｓ３０５）、以下、制御権を持っているリモコンを特定する（Ｓ３０６、Ｓ３０８、Ｓ３１０）。第１のリモコンＲＣ１が制御権を持っていれば、（Ｓ３０６）、第１のリモコンＲＣ１から制御権を剥奪し（Ｓ３０７）、第２のリモコンＲＣ２が制御権を持っていれば、（Ｓ３０８）、第２のリモコンＲＣ２から制御権を剥奪し（Ｓ３０９）、第３のリモコンＲＣ１が制御権を持っていれば、（Ｓ３１０）、第３のリモコンＲＣ３から制御権を剥奪し（Ｓ３１１）、終了する。
【００６５】
リモコンＲＣ１、ＲＣ２、ＲＣ３のいずれもが制御権を持っていなければ、映像視聴装置２０の電源のオフ動作を終了する。このときには、いずれのリモコンも制御権を持たない状態となるので、図３に示すように、不定状態である。
【００６６】
第２の実施例によれば、制御権を持っていない人が、制御権を獲得するために、映像視聴装置２０の電源をオフした場合、映像視聴装置２０の電源をオフしてから一定時間内では、映像視聴装置２０の電源をオフする直前に制御権を持っていたリモコンに、制御権を保持させるようにし、これによって、制御権が容易には移らない。
【００６７】
すなわち、テレビ受像機等では、本体に設けられている電源スイッチを使用して、そのテレビ受像機の電源をオフすることができる。たとえば、所定のリモコンが制御権を持っている状態で、このリモコンの持ち主のユーザが、テレビ受像機から離れる場合に、テレビ受像機の電源をオフすることがあり、このような場合に、そのリモコンに制御権を付与させておくことは無駄である。
【００６８】
つまり、リモコン以外の操作によって映像視聴装置２０の電源をオフした場合には、リモコンに制御権を持たせておく必要のないことが多い。したがって、リモコン以外の操作によって映像視聴装置２０に電源が入っていないときには、不定状態にしておくことが好ましいと考えられる。
【００６９】
しかし、電源を誤って切ることがあり、また、電話中等にわずかな時間だけ電源を切ることがあると考えられ、このような場合に、その度に制御権を剥奪するようにすると、かえって不便である。したがって、第２の実施例では、電源を誤って切ることがあり、また、電話中等にわずかな時間だけ電源を切ることに備えて、所定の一定時間以上、継続して電源が切られれば、その直前まで保持していた制御権を剥奪し、上記所定の一定時間をタイマでカウントし（Ｓ３０３、Ｓ３０４、Ｓ３０５）、上記一定時間が経過する前に、制御権を持っているリモコンから何らかの操作があった場合、たとえば電源されない。
【００７０】
［第３の実施例］
本発明の第３の実施例は、リモコンの操作によって、映像視聴装置の電源をオフした場合に、そのリモコンの制御権を剥奪する実施例である。
【００７１】
第３の実施例の構成は、図１に示す放送システムＢＳ１と同様である。
【００７２】
図７は、本発明の第３の実施例の動作を示すフローチャートであり、リモコンの操作によって、映像視聴装置２０の電源をオフした場合に、そのリモコンの制御権を剥奪する動作を示すフローチャートである。
【００７３】
図７に示すフローチャートは、図５に示すフローチャートと基本的には同じであり、Ｓ４０１、Ｓ４０９、Ｓ４１５、Ｓ４２１のみが、図５とは相違する。そこで、共通部分には、図５と同じステップ番号を付し、相違する部分にのみ、４００番台のステップ番号を付与し、このように表示することによって、相違する部分が一目瞭然になるように記載してある。
【００７４】
まず、所定のリモコンに設けられている電源スイッチ６をオフすると（Ｓ４０１）、そのリモコンの信号入出力部５が、操作信号とリモコンＩＤとを出力し、制御装置１０の信号入出力部１１が、上記リモコン信号とリモコンＩＤとを受信する（Ｓ２０２）。
【００７５】
そして、制御部１２が、操作内容を解釈し（Ｓ２０３）、受信したリモコンＩＤに基づいて、どのリモコンからの操作情報であるのかを判別する（２０４、Ｓ２１０、Ｓ２１６）。
【００７６】
第１のリモコンＲＣ１を操作したと判別した場合（Ｓ２０４）、第１のリモコンＲＣ１が制御権を有するか否かを、制御権管理部１３が判断し、第１のリモコンＲＣ１が制御権を有していれば（Ｓ２０５）、第１のリモコンＲＣ１から、制御権を剥奪し（Ｓ２０８）、映像視聴装置２０の電源をオフする（Ｓ４０９）。
【００７７】
第１のリモコンＲＣ１を操作したと判別した場合（Ｓ２０４）、第１のリモコンが制御権を有しておらず（Ｓ２０５）、第２のリモコンＲＣ２または第３のリモコンＲＣ３が制御権を有していれば（Ｓ２０６、Ｓ２０７）、映像音声出力部２１に、「制御権がありません」等のメッセージを表示する（Ｓ２２３）。
【００７８】
一方、第１のリモコンＲＣ１が操作せず（Ｓ２０４）、第２のリモコンＲＣ２を操作したと判別した場合（Ｓ２１０）、第２のリモコンＲＣ２が制御権を有するか否かを、制御権管理部１３が判断し、第２のリモコンＲＣ２が制御権を有していれば（Ｓ２１１）、第２のリモコンＲＣ２から、制御権を剥奪し（Ｓ２１４）、映像視聴装置２０の電源をオフする（Ｓ４１５）。
【００７９】
第２のリモコンＲＣ２を操作したと判別した場合（Ｓ２１０）、第２のリモコンが制御権を有しておらず（Ｓ２１１）、第１のリモコンＲＣ１または第３のリモコンＲＣ３が制御権を有していれば（Ｓ２１２、Ｓ２１３）、映像音声出力部２１に、「制御権がありません」等のメッセージを表示する（Ｓ２２３）。
【００８０】
一方、第１のリモコンＲＣ１、第２のリモコンＲＣ２を操作せず（Ｓ２０４、Ｓ２１０）、第３のリモコンＲＣ３を操作したと判別した場合（Ｓ２１６）、第３のリモコンＲＣ３が制御権を有するか否かを、制御権管理部１３が判断し、第３のリモコンＲＣ３が制御権を有していれば（Ｓ２１７）、第３のリモコンＲＣ３から、制御権を剥奪し（Ｓ２２０）、映像視聴装置２０の電源をオフする（Ｓ４２１）。
【００８１】
第３のリモコンＲＣ３を操作したと判別した場合（Ｓ２１６）、第３のリモコンが制御権を有しておらず（Ｓ２１７）、第１のリモコンＲＣ１または第２のリモコンＲＣ２が制御権を有していれば（Ｓ２１８、Ｓ２１９）、映像音声出力部２１に、「制御権がありません」等のメッセージを表示する（Ｓ２２３）。
【００８２】
なお、どのリモコンからの信号でもないと判定すれば（Ｓ２０４、Ｓ２１０、Ｓ２１６）、映像音声出力部２１にエラーを表示する（Ｓ２２２）。
【００８３】
第３の実施例によれば、リモコンに設けられている電源スイッチ６をオフした場合、このリモコンに設けられている電源スイッチ６をオフしたリモコンが制御権を放棄したと判断するので、制御権の放棄を望む場合に、制御権の放棄が容易であり、制御権管理が容易である。
【００８４】
また、上記実施例をプログラムの発明として把握することができる。つまり、上記実施例は、複数のリモコンが１つの映像視聴装置と対応付けられ、上記複数のリモコンのうちで、１つのリモコンのみが、上記映像視聴装置を制御するプログラムにおいて、上記複数のリモコンのうちでどのリモコンも、上記映像視聴装置を制御する制御権を持っていない不定状態で、最初に操作されたリモコンのＩＤを検出するリモコンＩＤ検出手順と、上記検出されたＩＤを具備するリモコンに、上記制御権を付与する制御権付与手順とをコンピュータに実行させるプログラムの例である。
【００８５】
この場合、上記プログラムは、上記制御権を持っているリモコンが制御権を放棄したことを判断する放棄判断手順と、上記制御権を持っているリモコンが制御権を放棄したことを上記放棄判断手順で判断すると、不定状態に設定する不定状態設定手順とをコンピュータに実行させるプログラムである。
【００８６】
また、上記放棄判断手順は、上記制御権を持っているリモコンが上記映像視聴装置の電源をオフした場合、または、上記リモコンに設けられている制御権放棄ボタンをオンした場合に、上記制御権を持っているリモコンが制御権を放棄したと判断する手順である。
【００８７】
さらに、上記不定状態設定手順は、リモコンを操作すること以外の操作によって、上記映像視聴装置の電源をオフしたときに、所定の一定時間は、電源オフ直前に制御権を持っていたリモコンの制御権を保持し、上記一定時間が経過した後に、不定状態に設定する手順である。
【００８８】
また、上記プログラムをＦＤ（フロッピー（登録商標）ディスク）、ＣＤ（コンパクトディスク）、ＨＤ（ハードディスク）、ＤＶＤ（Ｄｉｇｉｔａｌ    Ｖｅｒｓａｔｉｌｅ  Ｄｉｓｃ）、半導体メモリ等の記録媒体に記録するようにしてもよい。
【００８９】
上記各実施例は、電波放送システムに関するものであるが、電波放送に限らず、電波放送以外のインターネット放送等においても、上記実施例を適用することができ、また、リモコン情報を蓄える仕組みをどこに設置した場合でも、上記実施例を適用することができる。
【００９０】
なお、リモコンを２つ有する場合でも、４つ以上有する場合にも、上記実施例を適用することができる。
【００９１】
地上波のテレビ等の電波放送では、放送局１つについて、１つのチャンネルが割り当てられ、チャンネルを選択することによって、視聴する番組を選択することができ、見る番組を変更する場合には、チャンネルを変更すればよい。一方、インターネット放送において、チャンネルに相当するものはＵＲＬであり、ＵＲＬを指定することによって、番組を選択することができる。上記実施例では、理解し易くするために、ＴＶのチャンネルを例にとって説明したが、本発明は、地上波テレビ等の電波放送システムに限られるものではない。
【００９２】
【発明の効果】
本発明によれば、複数のリモコンを用いて１台の映像視聴装置を操作する場合、誰も映像視聴装置を見ていないときに、操作を希望するユーザのリモコンに、映像視聴装置を制御する制御権を適切に与えることができるという効果を奏する。
【図面の簡単な説明】
【図１】本発明の第１の実施例である放送システムＢＳ１を示すブロック図である。
【図２】第１の実施例において不定状態である場合に、所定のリモコンを操作し、この操作したリモコンが制御権を獲得する動作を示すフローチャートである。
【図３】上記実施例において、各リモコンと制御権保有の有無との関係の一例を示す図である。
【図４】上記実施例において、各リモコンと制御権保有の有無との関係の一例を示す図である。
【図５】上記実施例において、所定のリモコンが制御権を持っている状態で、その制御権を放棄することを希望した場合の動作を示すフローチャートである。
【図６】第２の実施例において、所定のリモコンが制御権を持っているときに、リモコン以外の方法で電源をオフした場合における動作を示すフローチャートである。
【図７】本発明の第３の実施例の動作を示すフローチャートであり、リモコンの操作によって、映像視聴装置２０の電源をオフした場合に、そのリモコンの制御権を剥奪する動作を示すフローチャートである。
【符号の説明】
ＢＳ１…放送システム、
ＲＣ１…第１のリモコン、
ＲＣ２…第２のリモコン、
ＲＣ３…第３のリモコン、
１…操作情報入出力部、
２…ＩＤ記憶部、
３…制御権放棄ボタン、
４…制御部、
５…信号入出力部、
６…電源スイッチ、
１０…制御装置、
１１…信号入出力部、
１２…制御部、
１３…制御権管理部、
２０…映像視聴装置、
２１…映像音声出力部、
２２…電源スイッチ。
【図１】
0003601818.tif 000002
【図２】
0003601818.tif 000003
【図３】
0003601818.tif 000004
【図４】
0003601818.tif 000005
【図５】
0003601818.tif 000006
【図６】
0003601818.tif 000007
【図７】
0003601818.tif 000008